(57)【要約】【課題】複数ある一次処理場から骨材の一次処理に適した一次処理場を適切に選定したり、二次処理場での処理により製造された再生骨材の販売先を適切に選定することが可能な再生骨材の製造管理システムの提供を目的とした。【解決手段】再生骨材の製造管理システム１は、骨材を含む原料を一次処理する一次処理工程と、当該一次処理工程で処理された原料を二次処理する二次処理工程とを含む工程を経て再生骨材を製造する再生骨材の製造管理をするためのシステムである。製造管理システム１は、情報処理手段２を有し、各一次処理場Ｆｑの所在地に関する一次処理場所在地データと、再生処理を行う原料の所在地に関する原料所在地データとに基づき、一次処理を行うのに適した一次処理場Ｆｑを選定することができる。【選択図】図１
2009175916.tif 000002
【特許請求の範囲】
【請求項１】
骨材を含む原料を一次処理する一次処理工程と、当該一次処理工程で処理された原料を二次処理する二次処理工程とを含む工程を経て再生骨材を製造する再生骨材の製造管理システムであって、
情報処理手段を有し、
当該情報処理手段が、一次処理工程を行う一次処理場の所在地に関する一次処理場所在地データと、再生処理を行う原料の所在地に関する原料所在地データとに基づき、一次処理を行うのに適した一次処理場を選定することを特徴とする再生骨材の製造管理システム。
【請求項２】
販売先で購入を希望している再生骨材に関する購入希望データと、原料の状態に関する原料データとに基づき、販売先を選定可能であることを特徴とする請求項１に記載の再生骨材の製造管理システム。
【発明の詳細な説明】
【技術分野】
【０００１】
本発明は、再生骨材の効率よく製造可能な再生骨材の製造管理システムに関する。
【背景技術】
【０００２】
従来より、下記特許文献１に開示されているような再生骨材の製造方法により再生骨材が製造されている。このような再生骨材の製造を行うためのプラントの多くは、骨材を含む原料を破砕等する一次処理工程と、一次処理された原料を二次処理する二次処理工程とを実施可能とされている。
【０００３】
【特許文献１】特開平１０−０２５１４０号公報
【発明の開示】
【発明が解決しようとする課題】
【０００４】
上記したように、従来は再生骨材の製造が一箇所に集約されたプラントにおいて実施されていたが、骨材を含む原料の一次処理を行う一次処理場と、一次処理を施した原料を処理する二次処理場とを設け、一次処理と二次処理とを別々の場所で行いたいという要望があった。また、このようにした場合、一次処理場を多数設け、いずれかの一次処理場で一次処理を行うことが考えられるが、どの一次処理場を選択するかによって再生骨材の製造効率が大きく異なることとなる。そのため、骨材の一次処理をどの一次処理場で行うのかを適切に判断することが可能なシステムの提供が求められていた。
【０００５】
また、一次処理場と二次処理場とを分けた場合、原料は一次処理された状態で二次処理場に搬入されることとなるため、二次処理場にいかなる原料が搬入されたのかが分かりにくい。そのため、二次処理場での処理により製造された再生骨材をどの販売先に販売するのかを適切に判断することが難しいといった問題があった。
【０００６】
そこで、かかる問題点を解決すべく、本発明は、複数ある一次処理場から骨材の一次処理に適した一次処理場を適切に選定したり、二次処理場での処理により製造された再生骨材の販売先を適切に選定することが可能な再生骨材の製造管理システムの提供を目的とした。
【課題を解決するための手段】
【０００７】
そこで、かかる課題を解決すべく提供される本発明の再生骨材の製造管理システムは、骨材を含む原料を一次処理する一次処理工程と、当該一次処理工程で処理された原料を二次処理する二次処理工程とを含む工程を経て再生骨材を製造する再生骨材製造管理システムであって、情報処理手段を有し、当該情報処理手段が、一次処理工程を行う一次処理場の所在地に関する一次処理場所在地データと、再生処理を行う原料の所在地に関する原料所在地データとに基づき、一次処理を行うのに適した一次処理場を選定することを特徴としている。
【０００８】
上述のような構成とすれば、複数ある一次処理場から骨材の一次処理に適した一次処理場を適切に選定することができ、一次処理と二次処理とを別々の処理場で行うことによる再生骨材の製造をスムーズに行うことができる。
【０００９】
上記した再生骨材の製造管理システムは、販売先で購入を希望している再生骨材に関する購入希望データと、原料の状態に関する原料データとに基づき、販売先を選定可能であることが望ましい。
【００１０】
上述のような構成とすれば、販売先で購入を希望している再生骨材に関する購入希望データに基づき、二次処理場での処理により製造された再生骨材の最適な販売先を選定でき、再生骨材の製造から販売に至る一連のフローをスムーズに進行させることができる。
【発明の効果】
【００１１】
本発明によれば、複数ある一次処理場から骨材の一次処理に適した一次処理場の選定や、二次処理場での処理により製造された再生骨材の販売先の選定を適切に実施可能な再生骨材の製造管理システムを提供できる。
【発明を実施するための最良の形態】
【００１２】
続いて、本発明の一実施形態に係る再生骨材の製造管理システム１（以下、単に管理システム１とも称す）について、再生骨材の製造方法に言及しつつ詳細に説明する。
先ず、再生骨材の製造方法について説明すると、再生骨材は、図１や図２に示すように大別して一次処理工程および二次処理工程により構成される製造フローに沿って製造される。一次処理工程は一次処理場で実施され、二次処理工程は二次処理場で実施される。
【００１３】
本実施形態において実施される再生細骨材の製造方法では、先ず建築物の解体現場等において発生したコンクリート廃材の塊（以下、必要に応じてコンクリート塊Ｂと称す）が、コンクリート塊Ｂの処分の依頼者Ａｐ（ｐ＝自然数）のもとから、多数設けられた一次処理場Ｆｑ（ｑ＝自然数）のうちの一つに向けて搬送され、一次処理される。
【００１４】
具体的には、多数ある一次処理場Ｆｑのうちの一つに搬送されたコンクリート塊Ｂは、場内に設けられたホッパー１０内に投入される。その後、ホッパー１０に投入されたコンクリート塊Ｂは、往復動しているレシプロフィーダ１１によって移送され、ジョークラッシャー１２（破砕機）に投入される。コンクリート塊Ｂが投入されると、ジョークラッシャー１２は、固定板１３と、回転体１５の回転に伴い固定板１３に対して近接離反する方向に往復動する可動板１６とを有する。ジョークラッシャー１２は、固定板１３と可動板１６との間に投入されたコンクリート塊Ｂを破砕してコンクリート破砕物Ｖとする。これにより、一次処理が完了する。
【００１５】
上記したようにして一次処理が完了すると、コンクリート破砕物Ｖが船舶やトラックにより一次処理場Ｆｑから二次処理場Ｓに搬送される。二次処理場Ｓでは、コンクリート破砕物Ｖが二次処理され、再生骨材（再生粗骨材、再生細骨材）が製造される。さらに詳細に説明すると、二次処理は、選別工程、磨鉱工程、比重選別工程、分離工程の各工程を経て実施される。
【００１６】
選別工程は、コンクリート破砕物Ｖを粒径の大きさに応じて分類する工程である。選別工程は、振動篩２０にコンクリート破砕物Ｖを投入することで実施される。振動篩２０によりコンクリート破砕物Ｖが分類されると、処理工程が磨鉱工程に進行する。
【００１７】
磨鉱工程では、選別工程において分類されたコンクリート破砕物Ｖのうち粒径の大きなものと小さなものとが磨鉱機２１，２２において別々に磨鉱される。磨鉱機２１で磨鉱された粒径の大きなコンクリート破砕物Ｖは、これに付着していたモルタル分が剥離された状態となり、モルタル分との混合物として排出される。
【００１８】
上記したようにして磨鉱工程において、磨鉱機２１で磨鉱された粒径の大きなコンクリート破砕物Ｖは、比重選別工程において粗骨材に相当するもの（再生粗骨材）と、モルタル分とに選別される。具体的には、比重選別工程では、磨鉱機２１から排出されたモルタル分とコンクリート破砕物Ｖとの混合物が、比重選別装置２３に投入される。比重選別装置２３では、コンクリート破砕物Ｖとモルタル分との比重差を利用して両者が選別される。
【００１９】
さらに詳細に説明すると、本実施形態で使用される比重選別装置２３は、内部に処理水が貯留されており、これに対して空気を給排気することにより処理水の水位を上下方向に波打たせることが可能とされている。このような比重選別装置２３の中にモルタル分とコンクリート破砕物Ｖとの混合物が投入されると、やがて比重の大きなコンクリート破砕物Ｖが水中に沈み、モルタル分が水面側に浮く。このようにして選別されたコンクリート破砕物Ｖは、粗骨材を主成分とするものであり、再生骨材として利用可能なものである。そこで、比重選別装置２３により選別されたモルタル分が殆ど付着していないコンクリート破砕物Ｖは、再生粗骨材として利用可能なものとして回収される。また、比重選別装置２３によって選別されたモルタル分は、再生骨材とは別に回収され、シックナー２５において水と分離されて廃棄される。
【００２０】
一方、上述の磨鉱工程において磨鉱機２２により磨鉱された粒径の小さなコンクリート破砕物Ｖは、分離工程で細骨材に相当するもの（再生細骨材）とその他のものに分離される。具体的には、分離工程では、磨鉱機２２で磨鉱されたコンクリート破砕物がスパイラル分級機２６に投入され、再生細骨材として利用可能なものと、モルタル分や夾雑物などの廃棄物とに分離される。モルタル分等の廃棄物は、シックナー２５によって水と分離され、廃棄される。
【００２１】
本実施形態の管理システム１は、上述した一連の再生骨材の製造工程を管理するものであり、所定の管理センターＣＣに設置されている。管理システム１は、従来公知のパーソナルコンピュータなどの端末に専用のプログラムを組み込む等して構成された情報処理手段２を有している。情報処理手段２は、コンクリート塊Ｂの処理を依頼する依頼者Ａｐ（ｐ＝自然数）や、一次処理場Ｆｑ（ｑ＝自然数）、二次処理場Ｓ、販売先Ｃｒに設けられた端末（図示せず）とデータ通信可能とされている。
【００２２】
管理システム１には、コンクリート塊Ｂの処分の依頼者Ａｐやコンクリート塊Ｂの所在地に関するデータ（以下、原料所在地データとも称す）や、処分対象であるコンクリート塊Ｂの状態に関するデータ（以下、原料データとも称す）が、依頼者Ａｐから発信されたデータに基づいて入力される。管理システム１は、原料所在地データや原料データに基づき、複数登録されている一次処理場Ｆｑから、処分対象であるコンクリート塊Ｂを一次処理するのに適した一次処理場Ｆｑを選択する。具体的には、管理システム１は、複数登録されている一次処理場Ｆｑの所在地に関するデータ（以下、一次処理場所在地データとも称す）に基づき、、処理対象であるコンクリート塊Ｂを処理するのに適した一次処理場Ｆｑを絞り込む。そして、管理システム１は、このようにして絞り込まれた一次処理場Ｆｑから、依頼者Ａｐやコンクリート塊Ｂの所在地に最も近い一次処理場Ｆｑを選択する。
【００２３】
上記したようにして一次処理場Ｆｑが選択されると、該当する一次処理場Ｆｑや依頼者Ａｐに設けられた端末（図示せず）に向けてコンクリート塊Ｂの一次処理を指示するデータ（一次処理指示データ）が発信される。この一次処理指示データに基づき、コンクリート塊Ｂが、依頼者Ａｐの元から、選定された一次処理場Ｆｑに向けて搬送される。
【００２４】
また、管理システム１は、一次処理場Ｆｑに搬入されたコンクリート塊Ｂの状態に関する原料データや、販売先Ｃｒ（ｒ＝自然数）で購入を希望している再生骨材（再生粗骨材、再生細骨材）の量や種類等に関するデータ（以下、購入希望データとも称す）に基づき、二次処理場Ｓでの処理により製造される再生骨材（再生粗骨材、再生細骨材）の販売先として適した販売先Ｃｒを選定する。そして、管理システム１は、選定された販売先Ｃｒを指示するデータ（以下、販売先指示データとも称す）を二次処理場Ｓに設けられた端末（図示せず）に向けて発信する。二次処理場Ｓで製造された再生骨材は、販売先指示データに基づき、選定された販売先Ｃｒに搬送される。
【００２５】
上記した管理システム１は、原料データや原料所在地データ、一次処理場所在地データに基づき、コンクリート塊Ｂの一次処理を行うのに適した一次処理場Ｆｑを選定することができる。そのため、管理システム１によれば、再生骨材の製造の一次処理と二次処理とを別々の処理場で行うこととしても、再生骨材の製造をスムーズに行うことができる。
【００２６】
上記した管理システム１は、販売先Ｃｒで購入を希望している再生骨材に関する購入希望データと、再生骨材の原料の状態に関する原料データとに基づき、複数の販売先Ｃｒから最適なものを選定可能とされている。そのため、上記した管理システム１によれば、再生骨材の製造から販売に至る一連の処理をスムーズに行うことができる。
【図面の簡単な説明】
【００２７】
【図１】本発明の一実施形態に係る製造管理システムによる再生骨材の製造の管理方法を説明するブロック図である。
【図２】再生骨材の製造フローを説明する概念図である。
【符号の説明】
【００２８】
１    製造管理システム（管理システム）
２    情報処理手段
Ａｐ    依頼者
Ｆｑ    一次処理場
Ｓ    二次処理場
Ｃｒ    販売先
ＣＣ    管理センター
【図１】
2009175916.tif 000003
【図２】
2009175916.tif 000004